(57)【要約】【課題】カメラのレンズ、液晶モニタや光学系などのクリーニングを行なうことが可能なクリーニング部材を備えたレンズキャップを提供する。【解決手段】鏡胴の開口部を塞ぐレンズキャップ１０であって、鏡胴に嵌合して開口部を塞ぐ本体部材１１と、押圧を受けることにより変形し、該押圧を解除することにより復元する弾性部１１ａ、および弾性部の復元および変形に応じて鏡胴に係合する係合位置および鏡胴への係合を解除する解除位置の間を移動する係合部１２ａを有し、本体部材１１に固定されたインナー部材１２と、弾性部１１ａに固定され、光学部材をクリーニングするクリーニング部材１３とを備えた。【選択図】図３
2004294904.tif 000002
【特許請求の範囲】
【請求項１】
撮影レンズを内蔵する鏡胴を備え、該撮影レンズを経由して入射してきた被写体光を捉えることにより撮影を行なうカメラの該鏡胴に嵌合し、該鏡胴の開口部を塞ぐレンズキャップであって、
前記鏡胴に嵌合して前記開口部を塞ぐ本体部材と、
押圧を受けることにより中央部分が前記開口部内側に膨らむように変形し、該押圧を解除することにより復元する弾性部、および該弾性部の復元および変形に応じて、前記鏡胴に係合する係合位置および該鏡胴への係合が解除される解除位置の間を移動する係合部を有し、前記本体部材に固定されたインナー部材と、
前記弾性部の前記開口部内側に固定され、前記鏡胴に内蔵された光学部材前面をクリーニングするクリーニング部材とを備えたことを特徴とするレンズキャップ。
【請求項２】
前記クリーニング部材は、前記係合部を前記解除位置に移動させた状態で、前記鏡胴に嵌合した前記本体部材を回転させることにより、前記光学部材をクリーニングするものであることを特徴とするレンズキャップ。
【請求項３】
前記クリーニング部材は、弾性樹脂からなるものであることを特徴とする請求項１記載のレンズキャップ。
【請求項４】
前記クリーニング部材は、前記弾性部が押圧を受けることにより、該クリーニング部材の中央部分を張り出すものであることを特徴とする請求項１記載のレンズキャップ。
【請求項５】
前記クリーニング部材は、前記鏡胴に前記本体部材を嵌合したときに、前記光学部材を前面に当接するものであることを特徴とする請求項２記載のレンズキャップ。
【発明の詳細な説明】
【０００１】
【発明の属する技術分野】
本発明は、カメラのレンズキャップに関し、特に、撮影レンズ等をクリーニングするクリーニング部材を備えたレンズキャップに関する。
【０００２】
【従来の技術】
従来、スチルカメラ、デジタルカメラ、ビデオカメラなどのカメラには、鏡胴に内蔵された撮影レンズやが埃や塵などによって汚れたり、異物があたって傷がつくのを防護するため、カメラ不使用時にはレンズキャップを被せるのが一般的である。
【０００３】
しかし、カメラ使用時においても、撮影レンズに、空中を浮遊する埃や塵などが付着したり、水蒸気や指紋などが付着する場合があるので、布切れやペーパなどのレンズクリーナで撮影レンズをクリーニングしている。
【０００４】
しかしながら、ユーザがレンズクリーナを常時携行するのは面倒であったり、忘れることがある。
【０００５】
そこで、カメラ不使用時には撮影レンズに被せるレンズキャップの中央部に表裏方向に貫通させて、回動およびスライド自在に軸を配設し、その軸にバネを挿入するとともに、両端に回転板を取りつけ、一方の回転板にクリーナ部材を取りつけることにより、クリーナ部材をレンズ表面に回動可能に当接させたものがある（特許文献１参照）。
【０００６】
また、レンズキャップにゴム製の空気タンクを取り付け、空気タンクを押すと空気出入口から空気が吹き出してレンズ表面に付着した埃などを吹き飛ばすようにしたものもある（特許文献２）。
【０００７】
【特許文献１】
特開平５−３４７６８号公報（段落番号０００５〜段落番号０００９、図１、図２）
【特許文献２】
特開平７−１２０６９８号公報（段落番号００７、図１〜図３）
【０００８】
【発明が解決しようとする課題】
しかしながら、特許文献１に開示されたものは、従来から用いられているレンズキャップに機構部分を付加する必要があるため製造工数や、製造コストを押し上げる要因となる上、不具合を生じやすい。また、特許文献２に開示されたものは、埃や塵程度のものには有効であっても、指紋などを除去するのは困難である。
【０００９】
今日、カメラ、特にデジタルカメラやビデオカメラには、撮影した被写体などをリアルタイムで映しことができることから、様々な液晶表示が活用されている。これらの液晶表示画面にもレンズ同様に埃や塵などが付着したり、指紋が付着する場合がある。また、液晶モニタ以外にも、クリーナでクリーニングする必要が生じる場合があり、１つのクリーニング部材により、カメラの各部をクリーニング可能に構成することができれば便利である。
【００１０】
本発明は、上記事情に鑑み、カメラの鏡胴内の最前面の光学部材のクリーニングが可能であるとともに、液晶表示画面などのカメラ各部のクリーニングも可能なクリーニング部材を備えたレンズキャップを提供することを目的とする。
【００１１】
【課題を解決するための手段】
上記目的を達成する本発明のレンズキャップは、撮影レンズを内蔵する鏡胴を備え、該撮影レンズを経由して入射してきた被写体光を捉えることにより撮影を行なうカメラの該鏡胴に嵌合し、該鏡胴の開口部を塞ぐレンズキャップであって、
上記鏡胴に嵌合して上記開口部を塞ぐ本体部材と、
押圧を受けることにより中央部分が上記開口部内側に膨むように変形し、該押圧を解除することにより復元する弾性部、および該弾性部の復元および変形に応じて、上記鏡胴に係合する係合位置および該鏡胴への係合が解除される解除位置の間を移動する係合部を有し、上記本体部材に固定されたインナー部材と、
上記弾性部の、上記開口部内側に固定され、上記鏡胴に内蔵された光学部材前面をクリーニングするクリーニング部材とを備えたことを特徴とするレンズキャップ。
【００１２】
このように、押圧による変形により係合部を鏡胴に係合させたり解除したりするように構成された弾性部にクリーニング部材を固定するので、簡単な構造にすることができる。また、鏡胴内の光学的部材前面だけでなく、液晶表示画面等のクリーニングを行なうことも可能である。
【００１３】
ここで、上記クリーニング部材は、上記係合部を、上記解除位置に移動させた状態で、上記鏡胴に嵌合した上記本体部材を回転させることにより、上記光学部材をクリーニングするものであることが好ましい。
【００１４】
このように、係合部の係合を解除してレンズキャップを回転させれば、光学部材のクリーニングができるので、クリーニングを容易、かつ簡単に行うことができる。
【００１５】
ここで、上記クリーニング部材は、弾性樹脂からなるものであることが好ましい。
【００１６】
このように、クリーニング部材に弾性樹脂を用いることにより、開口部に装着された光学部材などをクリーニングする際に傷をつけない。
【００１７】
また、上記クリーニング部材は、上記弾性部が押圧を受けることにより、該クリーニング部材の中央部分を張り出すものであることが好ましい。
【００１８】
このように、クリーニング部材を弾性部に固定させ、弾性部材の変形に合わせてクリーニング部材の中央部分を張り出すようにすることにより、液晶表示画面やファインダなど、カメラ各部のクリーニングが容易になる。
【００１９】
さらに、上記クリーニング部材は、上記本体部材を上記鏡胴に嵌合したときに、上記光学部材を前面に当接するものであることも好ましい態様である。
【００２０】
このように、本体部材を鏡胴に嵌合したときに、光学部材がクリーニング部材に当接されるように、クリーニング部材に厚みを持たせておけば、本体部材を回転させたときに、指紋などの汚れも容易にクリーニングできる。
【００２１】
【発明の実施の形態】
以下、本発明のレンズキャップの実施形態について説明する。
【００２２】
図１は、本実施形態のレンズキャップを用いたカメラを示す概略外観図である。
【００２３】
図１に示すように、カメラ１は、開口部を有し、撮影レンズを内蔵した鏡胴２ａを配設した正面２と、被写体を覗くファインダ３ａおよび液晶モニタ画面３ｂが設けられた背面３と、シャッタ釦４ａが配置された上面４と、ストラップ７を取りつける取付部材５ａを設けた側面５とを有する。なお、背面３には、ファインダ３ａおよび液晶モニタ画面３ｂの他に、図示していない、モード選択ダイヤル、再生ボタンなども配置されている。また、ストラップ７には、鏡胴２ａに嵌合させてレンズを防護するレンズキャップ１０が取り付けられている。レンズキャップ１０は、カメラを使用しないときは、鏡胴２ａに取り付けられ、カメラ１を使用するときは、鏡胴２ａから取り外す。
【００２４】
図示していないが、カメラ１の内部には、撮影レンズにより結像された被写体光の光量分布に基づく電荷量を蓄積するＣＣＤ撮像素子と、その電荷量を読み出し、デジタル信号に変換した後、ＪＰＥＧ圧縮処理を施した画像データをを記録する記録メディアと、デジタル信号を処理して液晶モニタ画面３ｂに被写体を表示するＬＣＤ表示部とを備えている。
【００２５】
このカメラ１に、未だ記録メディアが挿入されていない場合には、先ず、記録メディアを挿入口から挿入する。その後、このカメラ１で被写体を撮影するにあたっては、電源を投入し、レンズキャップ１０を鏡胴２ａから取り外し、被写体に合わせてモード選択ダイヤルをセットする。レンズを被写体に向けると共に、被写体を液晶モニタ画面３ｂで確認するか、又はファインダ３ａで確認し、シャッタ４ａを押す。このとき、ＣＣＤ撮像素子に蓄積された電荷が読み出され、その読み出された画像データに例えばＪＰＥＧ圧縮処理等が施され、記録メディアに記録される。
【００２６】
図２は、レンズキャップを分解した分解図であり、図２（ａ）は、本体部材、図２（ｂ）は、インナー部材、図２（ｃ）は、クリーニング部材を示す。
【００２７】
図２に示すように、レンズキャップ１０は、本体部材１１、インナー部材１２、およびクリーニング部材１３からなる。
【００２８】
図２（ａ）に示す本体部材１１は、被写体を撮影するカメラの鏡胴に嵌合される円形の嵌合部１１ａ、およびストラップを取りつける取付部材１１ｂを有し、嵌合部１１ａには、インナー部材１２を係止する、１対の矩形の切り欠き部１１ｃが設けられている。
【００２９】
図２（ｂ）に示すインナー部材１２は、鏡胴に係合する１対の係合部１２ａ、その係合部１２ａを押圧すると変形する、嵌合部１１ａよりも小径、かつ円形の弾性部１２ｂ、および係合部１２ａに一体化し、弾性部１２ｂの外側に向けて突き出した１対の突起部１２ｃを有する。そして、円形の弾性部１２ｂには、突起部１２ｃが押圧されたときに、弾性部１２ｂの変形が容易になされるように複数の切り込み１２ｄが設けられている。
【００３０】
インナー部材１２は、１対の突起部１２ｃを押圧して、弾性部１２ｂを、楕円形に変形させて１対の突起部１２ｃを本体部材１１の１対の切り欠き部１１ｃに貫通させることにより、本体部材１１に固定される。なお、弾性部１２ｂは、本体部材１１の円形の嵌合部１１ａの内側に収まるように径が設定されている。
【００３１】
図２（ｃ）に示すクリーニング部材１３は、１対の切り欠き部１３ａを有する円盤状の弾性樹脂からなる。そして、１対の切り欠き部１３ａを、インナー部材１２の係合部１２ａに嵌め込み、円盤状の弾性樹脂の周縁１３ｂをインナー部材１２の円形の弾性部１２ｂに、接着、あるいは溶着させるなどにより固定する。
【００３２】
このレンズキャップ１０を、鏡胴に嵌合させるときは、本体部材１１の切り欠き部１１ｃに貫通させた１対の突起部１２ｃを押圧して、円形の弾性部１２ｂを楕円形に変形させ、インナー部材１２の１対の係合部１２ａ相互の間隔を狭くした上で、嵌合部１１ａを鏡胴に嵌合させる。そして、１対の突起部１２ｃの押圧を解除すると、弾性部１１ａが楕円形から円形に戻り、１対の係合部１２ａが鏡胴に係合する。それにより、レンズキャップ１０は、鏡胴に固定される。
【００３３】
図３は、本実施形態のレンズキャップの断面を示す概略構成図である。
【００３４】
図３に示すレンズキャップ１０は、１対の矩形の切り欠き部１１ｃが設けられ、カメラの鏡胴に嵌合される円形の嵌合部１１ａを有する本体部材１１と、切り欠き部１１ｃに貫通した突起部１２ｃ、突起部１２ｃと一体化した係合部１２ａ、および弾性部１２ｂを有するインナー部１２と、弾性部１２ｂに固定されたクリーニング部材１３とを備えている。
【００３５】
そして、１対の突起部１２ｃを矢印Ａ方向に押圧すると、弾性部１２ｂが円形から楕円形に変形し、１対の係合部１２ａは、相互間の間隔が狭くなる。また弾性部１２ｂには切り込み１２ｄが設けられているため、弾性部１２ｂの楕円形の短径部分は弓なりに、図３の上方に膨らむように曲がり、弾性部１２ｂに固定されたクリーニング部材１３も中央を図３の上方に張り出すように変形する。
【００３６】
ここで、クリーニング部材は、ＰＯＭ（ジュラコン）やナイロンなどの弾性樹脂を用いることができる。また、クリーニング部材の厚さは、鏡胴にレンズキャップを嵌合させたときに、鏡胴に内蔵された光学部材（撮影レンズもしくは撮影レンズ前面にガラスが嵌められている場合のガラスなど）に、クリーニング部材が接する状態、もしくは若干隙間ができる状態に設定し、突起部１２ｃを押圧したときに、少なくとも中央部が光学部材により強く接する方向に張り出した状態となるようにすることが好ましい。
【００３７】
このレンズキャップ１０で、鏡胴内の最前面位置する光学部材をクリーニングするときには、１対の突起部１２ｃを矢印Ａ方向に少し押圧し、１対の係合部１２ａの鏡胴への係合を解除した上で、本体部材１１を回転させる。
【００３８】
すると、弾性樹脂からなるクリーニング部材１３が鏡胴に支持された撮影レンズ又はガラスの表面に圧接された状態で回転するので、その光学部材の表面をクリーニングすることができる。
【００３９】
また、カメラの背面部に備える液晶モニタ画面、あるいはファインダをクリーニングするときには、鏡胴から取り外したレンズキャップ１０の、１対の突起部１２ｃを矢印Ａ方向に充分押圧し、クリーニング部材１３の中央が、充分張り出すように変形させた上で、液晶モニタ画面、あるいはファインダを拭くようにする。
【００４０】
このように、レンズキャップにクリーニング部材が取り付けられているので、カメラを携行しているときに、レンズ、ガラス、液晶モニタ画面などをいつでもクリーニングすることができる。
【００４１】
本実施形態のレンズキャップは、本体部材の嵌合部に矩形の切込部を設け、その切込部に、インナー部材の突起部を貫通させることにより、本体部材にインナー部材を固定しているが、必ずしもその構成に限定する必要はなく、例えば嵌合部に切欠部分を設け、インナー部材をその切欠部分に係止することによって固定してもよい。また、インナー部材は、円形の弾性部を有するが、弾性部は、必ずしも円形である必要はなく、例えば１対の突起部相互間をつなぐ、帯状、あるいは楕円状の弾性部材であってもよい。
【００４２】
【発明の効果】
以上、説明したように、本発明のレンズキャップによれば、インナー部材の弾性部にクリーニング部材が固定されているので、鏡胴に嵌合した本体部材をインナー部材の係合を解除した状態で回転させることにより、開口部に装着されたレンズやガラスを容易にクリーニングすることができる。
【図面の簡単な説明】
【図１】本実施形態のレンズキャップを用いたカメラを示す概略外観図である。
【図２】レンズキャップを分解した分解図である。
【図３】本実施形態のレンズキャップの断面を示す概略構成図である。
【符号の説明】
１  カメラ
２  正面
２ａ  鏡胴
３  背面
３ａ  ファインダ
３ｂ  液晶モニタ画面
４  上面
４ａ  シャッタ釦
５  側面
５ａ，１１ｂ  取付部材
７  ストラップ
１０  レンズキャップ
１１  本体部材
１１ａ  嵌合部
１１ｃ  切り欠き部
１２  インナー部材
１２ａ  圧接部
１２ｂ  弾性部
１２ｃ  突起部
１２ｄ  切り込み
１３  クリーニング部材
１３ａ  切り欠き部
１３ｂ  周縁
【図１】
2004294904.tif 000003
【図２】
2004294904.tif 000004
【図３】
2004294904.tif 000005